【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
撮像装置における軸上色収差を補正する画像処理装置であって、
入力した画像信号を、基準となる第１の光周波数帯域の第１の画像信号と、前記第１の光周波数帯域以外の第２の光周波数帯域の第２の画像信号とを少なくとも含む複数の異なる光周波数帯域の画像信号に分離する分離手段と、
前記第２の画像信号に対して、独立成分分析を行う分析手段と、
前記分析手段による前記第２の画像信号の独立成分分析の結果と、前記第１の画像信号とを合成する合成手段と
を有することを特徴とする画像処理装置。
【請求項２】
前記第１の画像信号から第１の周波数解析値を求める第１の周波数解析手段と、
前記第２の画像信号から第２の周波数解析値を求める第２の周波数解析手段と、
前記第２の周波数解析値に基づいて、ノイズ成分の割合が高くなる周波数帯域を除いた有効帯域を決定する有効帯域決定手段と、
前記有効帯域決定手段により決定された前記有効帯域から帯域制限周波数を求めると共に、該帯域制限周波数で、前記第２の周波数解析値を制限する帯域制限周波数算出手段と、
前記帯域制限周波数算出手段で求められた前記帯域制限周波数で、前記第１の周波数解析値を制限する帯域制限手段と、
前記帯域制限周波数により制限された前記第２の周波数解析値と前記第１の周波数解析値との比から、前記第２の周波数解析値の目標値を求める目標周波数算出手段と、
前記目標周波数算出手段で求められた目標値と、前記帯域制限周波数により制限された第２の周波数解析値との比を求める比抽出手段と、
前記比抽出手段で求められた比に応じて、独立成分分析の初期値を選択する選択手段とを更に有し、
前記分析手段は前記選択手段により選択された初期値を用いて独立成分分析を行うことを特徴とする請求項１に記載の画像処理装置。
【請求項３】
前記分析手段による前記第２の画像信号の独立成分分析の結果から第３の周波数解析値を求める第３の周波数解析手段と、
前記第３の周波数解析値と、前記目標周波数算出手段で求められた目標値との比を求める第２の比抽出手段と、
前記第２の比抽出手段で求められた比に応じて、フィルタ係数を選択する第２の選択手段と、
前記第２の選択手段により選択されたフィルタ係数を用いて、前記第２の画像信号の独立成分分析の結果に対して低域通過フィルタ処理を行うフィルタ手段とを更に有し、
前記合成手段は、前記フィルタ処理された前記第２の画像信号の独立成分分析の結果と、前記第１の画像信号とを合成することを特徴とする請求項２に記載の画像処理装置。
【請求項４】
前記分析手段により実行された独立成分分析の回数をカウントするカウンタを更に有し、
前記分析手段は、前記独立成分分析の精度が予め決められたレベルまで収束するか、または、前記カウンタによりカウントされた回数が予め決められた閾値に達するまで、前記第２の画像信号に対して前記独立成分分析を繰り返し実行することを特徴とする請求項１乃至３のいずれか１項に記載の画像処理装置。
【請求項５】
前記第１から第３の周波数解析手段は、アダマール変換を行うことを特徴とする請求項３に記載の画像処理装置。
【請求項６】
前記第１から第３の周波数解析手段は、離散コサイン変換を行うことを特徴とする請求項３に記載の画像処理装置。
【請求項７】
前記有効帯域決定手段は、各周波数に応じた周波数解析値が、予め設定された閾値よりも大きい周波数帯域を有効帯域として決定することを特徴とする請求項２に記載の画像処理装置。
【請求項８】
前記帯域制限周波数は、前記有効帯域の最高周波数であることを特徴とする請求項２に記載の画像処理装置。
【請求項９】
前記選択手段は、前記比を複数の領域に分け、該領域のうち比の大きい領域を補正するような係数を初期値として選択することを特徴とする請求項２に記載の画像処理装置。
【請求項１０】
前記第２の選択手段は、前記第２の比抽出手段で求められた比を複数の領域に分けて、該領域のうち比の大きい領域を補正するようなフィルタ係数を選択することを特徴とする請求項３に記載の画像処理装置。
【請求項１１】
撮像装置における軸上色収差を補正する画像処理方法であって、
分離手段が、入力した画像信号を、基準となる第１の光周波数帯域の第１の画像信号と、前記第１の光周波数帯域以外の第２の光周波数帯域の第２の画像信号とを少なくとも含む複数の異なる光周波数帯域の画像信号に分離する分離工程と、
分析手段が、前記第２の画像信号に対して、独立成分分析を行う分析工程と、
合成手段が、前記分析工程による前記第２の画像信号の独立成分分析の結果と、前記第１の画像信号とを合成する合成工程と
を有することを特徴とする画像処理方法。
【請求項１２】
第１の周波数解析手段が、前記第１の画像信号から第１の周波数解析値を求める第１の周波数解析工程と、
第２の周波数解析手段が、前記第２の画像信号から第２の周波数解析値を求める第２の周波数解析工程と、
有効帯域決定手段が、前記第２の周波数解析値に基づいて、ノイズ成分の割合が高くなる周波数帯域を除いた有効帯域を決定する有効帯域決定工程と、
帯域制限周波数算出手段が、前記有効帯域決定工程により決定された前記有効帯域から帯域制限周波数を求めると共に、該帯域制限周波数で、前記第２の周波数解析値を制限する帯域制限周波数算出工程と、
帯域制限手段が、前記帯域制限周波数算出工程で求められた前記帯域制限周波数で、前記第１の周波数解析値を制限する帯域制限工程と、
目標周波数算出手段が、前記帯域制限周波数により制限された前記第２の周波数解析値と前記第１の周波数解析値との比から、前記第２の周波数解析値の目標値を求める目標周波数算出工程と、
比抽出手段が、前記目標周波数算出工程で求められた目標値と、前記帯域制限周波数により制限された第２の周波数解析値との比を求める比抽出工程と、
選択手段が、前記比抽出工程で求められた比に応じて、独立成分分析の初期値を選択する選択工程とを更に有し、
前記分析工程では前記選択工程により選択された初期値を用いて独立成分分析を行うことを特徴とする請求項１１に記載の画像処理方法。
【請求項１３】
第３の周波数解析手段が、前記分析工程による前記第２の画像信号の独立成分分析の結果から第３の周波数解析値を求める第３の周波数解析工程と、
第２の比抽出手段が、前記第３の周波数解析値と、前記目標周波数算出工程で求められた目標値との比を求める第２の比抽出工程と、
選択手段が、前記第２の比抽出工程で求められた比に応じて、フィルタ係数を選択する第２の選択工程と、
フィルタ手段が、前記第２の選択工程で選択されたフィルタ係数を用いて、前記第２の画像信号の独立成分分析の結果に対して低域通過フィルタ処理を行うフィルタ工程とを更に有し、
前記合成工程は、前記フィルタ処理された前記第２の画像信号の独立成分分析の結果と、前記第１の画像信号とを合成することを特徴とする請求項１２に記載の画像処理方法。
【請求項１４】
前記分析工程により実行された独立成分分析の回数をカウントするカウンタを更に有し、
前記分析工程は、前記独立成分分析の精度が予め決められたレベルまで収束するか、または、前記カウンタによりカウントされた回数が予め決められた閾値に達するまで、前記第２の画像信号に対して前記独立成分分析を繰り返し実行することを特徴とする請求項１１乃至１３のいずれか１項に記載の画像処理方法。
【請求項１５】
コンピュータに、請求項１１乃至１４のいずれか１項に記載の画像処理方法の各工程を実行させるためのプログラム。
【請求項１６】
請求項１５に記載のプログラムを格納したことを特徴とするコンピュータが読み取り可能な記憶媒体。
【手続補正２】
【補正対象書類名】明細書
【補正対象項目名】０００７
【補正方法】変更
【補正の内容】
【０００７】
上記目的を達成するために、撮像装置における軸上色収差を補正する本発明の画像処理装置は、入力した画像信号を、基準となる第１の光周波数帯域の第１の画像信号と、前記第１の光周波数帯域以外の第２の光周波数帯域の第２の画像信号とを少なくとも含む複数の異なる光周波数帯域の画像信号に分離する分離手段と、前記第２の画像信号に対して、独立成分分析を行う分析手段と、前記分析手段による前記第２の画像信号の独立成分分析の結果と、前記第１の画像信号とを合成する合成手段とを有する。
【手続補正３】
【補正対象書類名】明細書
【補正対象項目名】０００８
【補正方法】変更
【補正の内容】
【０００８】
また、撮像装置における軸上色収差を補正する本発明の画像処理方法は、分離手段が、入力した画像信号を、基準となる第１の光周波数帯域の第１の画像信号と、前記第１の光周波数帯域以外の第２の光周波数帯域の第２の画像信号とを少なくとも含む複数の異なる光周波数帯域の画像信号に分離する分離工程と、分析手段が、前記第２の画像信号に対して、独立成分分析を行う分析工程と、合成手段が、前記分析工程による前記第２の画像信号の独立成分分析の結果と、前記第１の画像信号とを合成する合成工程とを有する。